(57)【特許請求の範囲】
【請求項１】
マットレスと、
前記マットレスを囲繞し、前記マットレスの外周縁に隣接する側柵と、を有する小児用ベッドにおいて、
前記マットレスのうち、前記外周縁を含む外周部の少なくとも一部分が、前記外周部より内側に位置する内側部よりも変形しにくい難変形部となっており、
前記難変形部における、前記マットレスの前記外周縁からの幅は、２０ｍｍ以上１５０ｍｍ以下であり、
前記外周縁と前記側柵との間に物が挟まるのを防止する、小児用ベッド。
【請求項２】
前記内側部の４０％圧縮硬さは、１５０Ｎ以下であり、
前記外周部の４０％圧縮硬さは、１５０Ｎを越える、請求項１記載の小児用ベッド。
【請求項３】
前記内側部における硬さが、その表裏面で異なる、請求項１または２に記載の小児用ベッド。
【請求項４】
前記マットレスに、洗浄可能なカバー又は防水カバーが装着されている、請求項１から３のいずれか１項に記載の小児用ベッド。
【請求項５】
前記マットレスのうち、前記外周部が全周にわたって前記難変形部とされている、請求項１から４のいずれか１項に記載の小児用ベッド。
【請求項６】
側柵を有する小児用ベッドに用いられ、前記側柵によって囲繞される小児用ベッド用のマットレスであって、
前記マットレスのうち、前記側柵が隣接する外周縁を含む外周部の少なくとも一部分が、前記外周部より内側に位置する内側部よりも変形しにくい難変形部となっており、
前記難変形部における、前記マットレスの前記外周縁からの幅は、２０ｍｍ以上１５０ｍｍ以下であり、
前記外周縁と前記側柵との間に物が挟まるのを防止する、小児用ベッド用のマットレス。
【発明の詳細な説明】
【技術分野】
【０００１】
本発明は、小児用ベッドおよび小児用ベッド用のマットレスに関するものである。
【背景技術】
【０００２】
例えば下記特許文献１が開示するように、従来から四方を側柵で囲繞した小児用ベッドが用いられている。この種の小児用ベッドは、ボトム部上に長方形状のマットレスを載置して使用するのが一般的である。
【先行技術文献】
【特許文献】
【０００３】
【特許文献１】特開平５―２３２３８号公報
【発明の概要】
【発明が解決しようとする課題】
【０００４】
ところで、従来の小児用ベッドではマットレスを柔らかくすることにより、床ずれを防止して快適な寝心地を確保することができる一方で、マットレスを柔らかくすると、マットレスの外形を保持できない恐れがあった。
【０００５】
本発明はこのような事情を考慮してなされたもので、マットレスを柔らかくしながら、マットレスの外形を保持可能な小児用ベッドおよび小児用ベッド用のマットレスを提供することを目的とする。
【課題を解決するための手段】
【０００６】
上記課題を解決するために、本発明は以下の手段を提案している。
（１）本発明に係る小児用ベッドは、マットレスと、前記マットレスを囲繞し、前記マットレスの外周縁に隣接する側柵と、を有する小児用ベッドにおいて、前記マットレスのうち、前記外周縁を含む外周部の少なくとも一部分が、前記外周部より内側に位置する内側部よりも変形しにくい難変形部となっていることを特徴とする。
【０００７】
本発明によれば、マットレスの外周部における一部分が、マットレスの内側部よりも硬く変形しにくい難変形部となっているため、マットレスの外周縁と側柵との間の境界に物が挟まりにくくすることができる一方、マットレスのうち使用者の身体が接触する範囲の大きい内側部を柔らかくして、床ずれの発生を防止した快適な寝心地の小児用ベッドを提供することができる。
【０００８】
（２）上記（１）に係る小児用ベッドでは、前記難変形部における、前記マットレスの前記外周縁からの幅は、２０ｍｍ以上であってもよい。
【０００９】
この場合、外周部の難変形部における大きさを確保することにより、マットレスの外周部を変形しにくくして、マットレスの外周縁と側柵との間の境界に物が挟まりにくくする効果をより確実に奏功させることができる。
【００１０】
（３）上記（１）または（２）に係る小児用ベッドでは、前記内側部における硬さが、その表裏面で異なっていてもよい。
【００１１】
この場合、マットレスのうち使用者の身体が接触する範囲の大きい内側部の硬さが表裏面で異なっているため、使用者の身体が接触する側の面として表面若しくは裏面を選択することにより、使用者の体調や好みに合わせて、使用者の身体が接触する部分におけるマットレスの硬さを容易に変更することができる。
【００１２】
（４）上記（１）から（３）のいずれか１つに係る小児用ベッドでは、前記マットレスに、洗浄可能なカバー又は防水カバーが装着されていてもよい。
【００１３】
この場合、マットレス自体が汚れるのを防止し、容易に清掃を行うことができる。
【００１４】
（５）上記（１）から（４）にいずれか１つに係る小児用ベッドでは、前記マットレスのうち、前記外周部が全周にわたって前記難変形部とされていてもよい。
【００１５】
この場合、マットレスの外周部が全周にわたって変形しにくいため、マットレスの外周縁と側柵との間の境界に物が挟まるのを、マットレスの外周縁全周にわたって抑止することができる。
【００１６】
（６）また、本発明に係る小児用ベッド用のマットレスは、側柵を有する小児用ベッドに用いられ、前記側柵によって囲繞される小児用ベッド用のマットレスであって、前記マットレスのうち、前記側柵が隣接する外周縁を含む外周部の少なくとも一部分が、前記外周部より内側に位置する内側部よりも変形しにくい難変形部となっていることを特徴とする。
【００１７】
本発明によれば、マットレスの外周部における一部分が、マットレスの内側部よりも硬く変形しにくい難変形部となっているため、マットレスの外周縁と側柵との間の境界に物が挟まりにくくすることができる一方、マットレスのうち使用者の身体が接触する範囲の大きい内側部を柔らかくして、床ずれの発生を防止した快適な寝心地の小児用ベッド用のマットレスを提供することができる。
【発明の効果】
【００１８】
本発明によれば、マットレスを柔らかくしながら、マットレスの外形を保持可能な小児用ベッドおよび小児用ベッド用のマットレスを提供することができる。
【図面の簡単な説明】
【００１９】
【図１】小児用ベッドの斜視図である。
【図２】小児用ベッドの上面図である。
【図３】第１実施形態に係る小児用ベッドの部分断面図である。
【図４】第２実施形態に係る小児用ベッドの部分断面図である。
【図５】第３実施形態に係る小児用ベッドの部分断面図である。
【図６】図３に示す小児用ベッドの変形例を示す部分断面図である。
【図７】図４に示す小児用ベッドの変形例を示す部分断面図である。
【発明を実施するための形態】
【００２０】
（第１実施形態）
以下、第１実施形態に係る小児用ベッド１０の構成を、図１を参照しながら説明する。
図１に示すように、小児用ベッド１０は長方形状のマットレス３０と、マットレス３０を囲繞し、マットレス３０の四辺それぞれに隣接する側柵２０と、マットレス３０を支持するボトム部４０と、を備える。
側柵２０のうち、少なくともマットレス３０の１つの辺に隣接する部分は、上下方向にスライド可能となっている。
なお、マットレス３０に洗浄可能なカバー若しくは薬品などの液体で表面の拭き取りが可能な防水カバーを装着して、マットレス３０自体が汚れるのを防止し、清掃を容易にしてもよい。
【００２１】
図２に示すように、マットレス３０は、矩形枠状の外周部３２と、外周部３２の内周縁に連なる内側部３３と、を有する。外周部３２は、マットレス３０の外周縁３１に沿って延びている。本実施形態では、外周部３２はマットレス３０の全周にわたって延在している。
外周部３２における、外周縁３１から内側部３３に向かう方向の幅Ｗは、マットレス３０の外周部３２における全周にわたって均一になっている。また、外周部３２の幅Ｗは、本実施形態では２０ｍｍ〜１５０ｍｍの範囲とされている。
なお、外周部３２の幅Ｗは、外周部３２における全周にわたって均一でなくてもよい。
【００２２】
マットレス３０は、ポリウレタンフォームにより形成されている。ポリウレタンフォームは、配合等の条件を適宜変更することにより、その硬さを変えることができる。そして本実施形態では、図３に示すように、外周部３２を形成するポリウレタンフォームの硬さと、内側部３３を形成するポリウレタンフォームの硬さと、が異なっている。具体的には、外周部３２を形成するポリウレタンフォームのＪＩＳ―Ｋ６４００―２に規定されるＡ法に基づいて測定された４０％圧縮硬さ（以下、単に４０％圧縮硬さと記す）は、３００Ｎである。一方、内側部３３を形成するポリウレタンフォームの４０％圧縮硬さは、５０Ｎである。
【００２３】
マットレス３０の外周部３２における４０％圧縮硬さと、内側部３３における４０％圧縮硬さと、を比較すると、外周部３２の方が、４０％圧縮硬さの数値が大きいため変形しにくい。すなわち、外周部３２は、その全域にわたって内側部３３よりも変形しにくい難変形部となっている。この難変形部がマットレス３０の外周縁３１を含む範囲に配設されているため、マットレス３０の外形を保持することが可能となり、外周縁３１と側柵２０との間に隙間が生じにくくなる。なお、外周部３２のうちの一部分のみが難変形部となっていてもよい。
また、マットレス３０の外周縁３１と側柵２０との間の境界は、外周縁３１の全周にわたってＡＳＴＭ―Ｆ１２８１（１９９７）を満たす。
【００２４】
以上説明したように、本実施形態によれば、マットレス３０の外周部３２が、マットレス３０の内側部３３よりも変形しにくい難変形部とされているため、マットレス３０の外形を保持しやすくなる一方、マットレス３０のうち使用者の身体が接触する範囲の大きい内側部３３を柔らかくして、床ずれの発生を防止した快適な寝心地の小児用ベッド１０を提供することができる。
また、外周部３２の幅Ｗが２０ｍｍ以上であるため、マットレス３０のうち外周縁３１と隣接する難変形部の幅が確保され、マットレス３０の外周縁３１と側柵２０との間の境界に物が挟まるのをより確実に防止することができる。
【００２５】
また、マットレス３０の内側部３３が、４０％圧縮硬さが１５０Ｎ以下の材質により形成されているため、マットレス３０のうち使用者の身体が接触する範囲が大きく、大きな体圧がかかる内側部３３における体圧分散性が向上され、床ずれが発生しにくく、より快適な寝心地の小児用ベッド１０を提供することができる。
また、マットレス３０の外周縁３１と側柵２０との間の境界がＡＳＴＭ―Ｆ１８２１（１９９７）に規定される所定の規格を満たすため、マットレスの外周縁３１と側柵２０との間に隙間が生じるのを、所定の規格に則って確実に防止した小児用ベッド１０を提供することができる。
【００２６】
（第２実施形態）
次に、本発明に係る第２実施形態について説明するが、第１実施形態と基本的な構成は同様である。このため、同様の構成には同一の符号を付してその説明は省略し、異なる点についてのみ説明する。
本実施形態では、マットレス３０の外周部３２におけるクッション材の積層構造が第１実施形態と異なる。
【００２７】
図４に示すように、本実施形態のマットレス３０における外周部３２は、上層部３２ａと、下層部３２ｂと、を有する。上層部３２ａの材質は第１実施形態における内側部３３の材質と同一である。下層部３２ｂを形成するポリウレタンフォームの４０％圧縮硬さは、４００Ｎである。
本実施形態によれば、外周部３２のうち使用者の身体が直接接触する上層部３２ａの材質として、４０％圧縮硬さの小さいポリウレタンフォームを用いることにより、床ずれを防止して寝心地を向上させることができる一方で、下層部３２ｂの材質として、４０％圧縮硬さの大きいポリウレタンフォームを用いることにより、マットレス３０の外周縁３１と側柵２０との間の境界に物が挟まるのを確実に防止することができる。
【００２８】
なお、上層部３２ａの材質は第１実施形態における内側部３３の材質と同一でなくてもよく、例えばこれより４０％圧縮硬さの小さい材質を用いて、マットレス３０全体の体圧分散性を調整してもよい。また、下層部３２ｂの材質は第１実施形態における外周部３２の材質と同一でなくてもよく、例えばこれより４０％圧縮硬さの大きい材質を用いて、上層部３２ａと下層部３２ｂとを合わせた外周部３２全体としての変形のしにくさを調整してもよい。
【００２９】
以上説明したように、第２実施形態によれば、マットレス３０の外周部３２における上層部３２ａの材質の４０％圧縮硬さが、直接身体が触れても痛みを感じない範囲である５０Ｎ以上２００Ｎ以下の範囲である一方、外周部３２における下層部３２ｂの材質の４０％圧縮硬さが４００Ｎであるため、マットレス３０の外形を保持しやすくしつつ、外周部３２のうち使用者の身体が直接触れる部分である上層部３２ａを柔らかくして、床ずれの防止等をより確実に奏功させることができる。
【００３０】
（第３実施形態）
次に、本発明に係る第３実施形態について説明するが、第１実施形態と基本的な構成は同様である。このため、同様の構成には同一の符号を付してその説明は省略し、異なる点についてのみ説明する。
本実施形態では、マットレス３０の内側部３３および外周部３２におけるクッション材の積層構造が第１実施形態と異なる。
【００３１】
図５に示すように、本実施形態のマットレス３０における内側部３３は、上層部３３ａと、下層部３３ｂと、を有する。上層部３３ａの材質は、第１実施形態における内側部３３の材質と同一のポリウレタンフォームである。下層部３３ｂの材質は、上層部３３ａよりも４０％圧縮硬さが大きいポリウレタンフォームである。
また、本実施形態のマットレス３０における外周部３２は、上層部３２ｃと、中層部３２ｄと、下層部３２ｅと、を有する。外周部３２における上層部３２ｃの材質は、内側部３３における上層部３３ａの材質と同一である。外周部３２における中層部３２ｄの材質は、第１実施形態における外周部３２の材質と同一である。外周部３２における下層部３２ｅの材質は、内側部３３における下層部３３ｂの材質と同一である。
【００３２】
本実施形態によれば、マットレス３０のうち使用者の身体が直接接触する範囲の大きい内側部３３の４０％圧縮硬さが、上層部３３ａと下層部３３ｂとで異なっているため、使用者の身体が接触する側の面として上層部３３ａ若しくは下層部３３ｂを選択することにより、使用者の体調や好みに合わせて、マットレス３０のうち使用者の身体が接触する部分の硬さを容易に変更可能にした小児用ベッド１０を提供することができる。
また、外周部３２の上層部３２ｃおよび下層部３２ｅの材質は、内側部３３の上層部３３ａおよび下層部３３ｂの材質とそれぞれ同一であるため、マットレス３０の表面若しくは裏面のいずれを選択しても、外周部３２および内側部３３の使用者の身体が接触する部分における硬さが同一となって、快適な寝心地の小児用ベッド１０を提供することができる。
【００３３】
なお、本実施形態において、外周部３２を構成する上層部３２ｃ、中層部３２ｄ、および下層部３２ｅのうち、最も硬い部分における４０％圧縮硬さが、内側部３３を構成する上層部３３ａおよび下層部３３ｂのうち最も硬い部分における４０％圧縮硬さよりも大きくなっている。具体的には、外周部３２を構成する各層のうち、中層部３２ｄの４０％圧縮硬さが最も大きく、内側部３３を構成する各層のうち、下層部３３ｂの４０％圧縮硬さが最も大きい。そして、外周部３２の中層部３２ｄにおける４０％圧縮硬さが、内側部３３の下層部３３ｂにおける４０％圧縮硬さよりも大きい。
【００３４】
なお、本発明の技術的範囲は前記実施の形態に限定されるものではなく、本発明の趣旨を逸脱しない範囲において種々の変更を加えることが可能である。
【００３５】
例えば、前記実施形態では、マットレス３０はポリウレタンフォームにより形成されていると説明したが、これに限られず、他の材質により形成されていてもよい。例えば、ポリエステル綿や、線状の樹脂を融着して形成された立体網状構造体を用いてマットレス３０を形成してもよい。
さらに、マットレス３０を形成する材質を部分的に変更してもよい。例えば第３実施形態において、外周部３２の中層部３２ｄを上記立体網状構造体によって形成し、その他の部分（内側部３３や、外周部３２の上層部３２ｃおよび下層部３２ｅ）をポリウレタンフォームにより形成してもよい。
【００３６】
また、前記実施形態ではマットレス３０の外周部３２が全周にわたって内側部３３よりも変形しにくい材質によって形成されていたが、これに限られず、例えばマットレス３０の外周部３２における一部分が内側部３３よりも変形しやすい材質によって形成されていてもよい。
また、図３において、マットレス３０の外周部３２における外周縁３１からの幅は上下方向の全域にわたって同等であったが、本発明はこれに限られない。例えば、図６（ａ）に示すように、外周部３２の外周縁３１からの幅が、下方に向かうに従い漸次小さくなっていてもよい。あるいは、図６（ｂ）に示すように、外周部３２の外周縁３１からの幅が、下方に向かうに従い漸次大きくなっていてもよい。
また、図４において、マットレス３０の外周部３２は、上下方向に並んだ上層部３２ａおよび下層部３２ｂを有していたが、本発明はこれに限られない。例えば、図７に示すように、マットレス３０の外周縁３１から内側部３３に向かう方向に並んだ第１外周部３２ｇおよび第２外周部３２ｆを有するマットレス３０を採用してもよい。この場合、第１外周部３２ｇおよび第２外周部３２ｆの材質は互いに異なっていてもよい。また、第１外周部３２ｇおよび第２外周部３２ｆはともに内側部３３よりも変形しにくい難変形部であってもよい。
また、図４および図５において、マットレス３０のうち柔らかい部分と硬い部分の上下方向における位置を適宜変更してもよい。例えば、図４において上層部３２ａを硬くして、下層部３２ｂを柔らかくしてもよい。あるいは、図５において、上層部３３ａ、上層部３２ｃが硬く、下層部３３ｂ、中層部３２ｄ、下層部３２ｅを柔らかくしてもよい。
【００３７】
その他、本発明の趣旨を逸脱しない範囲で上記した実施の形態における構成要素を周知の構成要素に置き換えることは適宜可能であり、また、上記した各実施形態や変形例を適宜組み合わせてもよい。例えば、第１実施形態と第３実施形態とを組み合わせて、マットレス３０の内側部３３における材質が、上層部３３ａと下層部３３ｂとで異なるものとしつつ、マットレス３０の外周部３２における材質が、厚み方向の全域にわたって同一であるものとしてもよい。
【符号の説明】
【００３８】
１０…小児用ベッド、２０…側柵、３０…マットレス、３１…外周縁、３２…外周部、３３…内側部
【図１】
0006715695.tif 000002
【図２】
0006715695.tif 000003
【図３】
0006715695.tif 000004
【図４】
0006715695.tif 000005
【図５】
0006715695.tif 000006
【図６】
0006715695.tif 000007
【図７】
0006715695.tif 000008